(57)【要約】  体外式除細動器（１０）において事変データをレビューする方法及び装置が設けられている。この方法は緊急時に使用する除細動器（１０）を配置することにより開始する。ここで除細動器は患者（１８）に取り付けられている。この患者からのＥＣＧデータがモニタリングされ、次いでこの除細動器（１０）に内蔵されるメモリ装置（２２）に置かれる画像ファイルに記録される。
2007505670.tif 000002
【特許請求の範囲】
【請求項１】
体外式除細動器において事変データをレビューする方法において、
−緊急時に使用するための前記除細動器を配置するステップであり、前記除細動器は患者に取り付けられているステップ、
−前記患者からのＥＣＧデータをモニタリングするステップ、及び
−前記除細動器に内蔵されるメモリ装置に設置される画像ファイルに前記モニタリングされたＥＣＧデータを記録するステップ
を有する方法。
【請求項２】
前記メモリ装置は、ユーザにより取り外し可能であり、前記除細動器から前記メモリ装置を取り外し、プリンターに内蔵されるメモリリーダに前記メモリ装置を挿入することにより、前記記録されたＥＣＧデータを印刷するステップをさらに有する請求項１に記載の方法。
【請求項３】
前記記録するステップは、マイクから入力される音声データを記録するステップを含んでいる請求項１に記載の方法。
【請求項４】
前記記録するステップは、除細動器動作情報を記録するステップを含んでいる請求項１に記載の方法。
【請求項５】
前記体外式除細動器は、全自動の体外式除細動器である請求項１に記載の方法。
【請求項６】
前記体外式除細動器は、半自動の体外式除細動器である請求項１に記載の方法。
【請求項７】
前記除細動器からディスプレイ装置へ前記記録されたＥＣＧ画像ファイルを送信するステップをさらに有する請求項１に記載の方法。
【請求項８】
前記メモリ装置に設置される前記画像ファイルに記録されるべき追加データを選択するステップをさらに有する請求項１に記載の方法。
【請求項９】
前記追加データは、音響データ及び患者治療データから構成される集合から選択される請求項８に記載の方法。
【請求項１０】
前記メモリ装置は、コンパクトフラッシュ（登録商標）、ＡＴＡフラッシュメモリカード、メモリースティック（登録商標）、スマートメディア（登録商標）及びＳＤカード（登録商標）から構成される前記集合から選択される請求項２に記載の方法。
【請求項１１】
前記記録するステップは、生のＥＣＧデータを画像ファイル形式に変換するステップをさらに含んでいる請求項１に記載の方法。
【請求項１２】
−制御器、
−エネルギー源、
−患者に電気療法を施すための少なくとも１つの電極、
−前記エネルギー源から前記少なくとも１つの電極へ電気ショックを送出するように、前記制御器により操作可能であるエネルギー送出システム、
−事変データを画像ファイル形式に変換するためのプロセッサ、及び
−前記事変データを含む画像ファイルが前記画像ファイル形式で記録されているメモリ装置
を有する電気療法装置。
【請求項１３】
前記事変データは、ＥＣＧデータを含んでいる請求項１２に記載の電気療法装置。
【請求項１４】
前記メモリ装置は、ユーザにより取り外し可能であり、プリンターに内蔵されるメモリリーダにより読み取られる請求項１２に記載の電気療法装置。
【請求項１５】
前記事変データは、マイクから入力される音響データを含んでいる請求項１２に記載の電気療法装置。
【請求項１６】
前記事変データは、除細動器動作情報を含んでいる請求項１２に記載の電気療法装置。
【請求項１７】
前記電気療法装置は、体外式除細動器である請求項１２に記載の電気療法装置。
【請求項１８】
前記体外式除細動器は、全自動の体外式除細動器である請求項１７に記載の電気療法装置。
【請求項１９】
前記体外式除細動器は、半自動の体外式除細動器である請求項１８に記載の電気療法装置。
【請求項２０】
前記画像ファイルを送信するために設置されるポートをさらに有する請求項１２に記載の電気療法装置。
【請求項２１】
前記事変データは、ＥＣＧデータ、音響データ及び患者療法データから構成される集合から選択される請求項１２に記載の電気療法装置。
【請求項２２】
前記ユーザにより取り外し可能であるメモリ装置は、コンパクトフラッシュ（登録商標）、ＡＴＡフラッシュメモリカード、メモリースティック（登録商標）、スマートメディア（登録商標）及びＳＤカード（登録商標）から構成される前記集合から選択される請求項１４に記載の電気療法装置。
【発明の詳細な説明】
【技術分野】
【０００１】
本発明は一般的に除細動器、特に自動又は半自動の体外式除細動器（ＡＥＤ）に関する。
【背景技術】
【０００２】
突然心臓死は、米国において主な死因であり、２分に１人の人間が亡くなっている。大多数の突然心臓死は、心室細動（ＶＦ）が原因であり、心臓の筋繊維が強調せずに収縮し、これにより身体への正常な血流が遮断される。ＶＦに対し唯一知られている効果的な治療法は、電気的除細動であり、患者の心臓に電気パルスが供給される。患者が生き残る如何なる妥当な機会を得るために、ＶＦが発生した後、短い時間内にこの電気パルスが送出されなければならない。電気的除細動は、ショック可能な(shockable)心室頻拍（ＶＴ）を治療するのに用いられてもよい。従って、除細動は、如何なるショック可能なリズム、すなわちＶＦ又はショック可能なＶＴに対する適切な治療である。
【０００３】
電気的除細動を提供する１つの方法は、体外式除細動を使用する。体外式除細動器は、患者の胴に付けられた電極を介して患者の心臓に電気パルスを送る。体外式除細動器は通常、病院の緊急救命室、手術室及び救急医療用搬送車に設置すると共に使用される。現在利用可能である様々な体外式除細動器のうち、（総称してＡＥＤと呼ばれる）自動及び半自動の体外式除細動器は、これら除細動器が比較的経験の無い人間によって使用されることができるので、段々と普及してきている。このようなＡＥＤは特に軽量、コンパクト及びポータブルでもある。ＡＥＤは、Cameron他による、発明の名称“Electrotherapy Method and Apparatus”の米国特許番号US 5,607,454、発明の名称“Defibrillator with Self-Test Features”の国際出願公開番号WO94/27674、及び発明の名称“Method and Apparatus for Providing On-Screen Incident Review in an AED”の米国特許番号2002/0156503において開示されてあり、これらの明細書はここに編入される。
【０００４】
ＡＥＤは、多数の利点を提供し、利点は、体外式除細動が定期的に予測されず、例えば住宅、公共のビルディング、ビジネス、個人車両、公共輸送車両等のような殆ど稀にしか行われないと思われる場所でこの体外式除細動が利用可能であることを含んでいる。ＡＥＤは、小型、軽量且つ維持が容易であるように設計されるので、ＡＥＤは一般的に紙ベースのＥＣＧレコーダを特徴としているのではない。
【発明の開示】
【発明が解決しようとする課題】
【０００５】
ＡＥＤを使用する１つの欠点は、ＡＥＤは現在モニタリングされている情報しか表示しないので、歴代のＥＣＧデータをレビューする方法が通常は提供されないことである。ＥＣＧのレビューは、紙ベースのＥＣＧの印刷物を介して行われる。ＥＣＧプリンターに関連する追加の重みのせいで、これは通常、より多機能な除細動器（例えばヒューレットパッカード社によるCodeMaster100）に含まれていることが特徴である。ＡＥＤが（例えば空港、ホテル、観光船及び飛行機において）一般的になるに連れて、被害者を看護する責任が移る回数が増大する。例えば、緊急救命室に搬送する従来の救急救命士の代わりに、第１の対応者（例えば素人又は客室乗務員）が、病院の緊急救命室に連れて行かれる前に、消防士又は警察官及びその後の救急救命士に取って代わってもよい状況がある。患者に対する責任がより高度な介護者に渡されるたびに、関連する歴代の治療情報を素早く転送可能であることが重要である。しかしながら、プロの介護者が以前の治療の簡略的概要を例えば緊急救命室の医師のようなより高度な介護者に提供するのには慣れている一方、同じことが素人の対応者に対しては当てはまらない。
【０００６】
これにより、緊急対応隊員が心停止の現場に呼ばれる又は患者が緊急救命室に搬送される場合、その場にいた最初の対応者が治療の初期部分を正確に述べる立場にないので、事変（又はＥＣＧの履歴）を素早くレビューする能力が望ましい。ＥＣＧの履歴が後続する治療に影響を与える可能性があるので、これは特に重要である。さらに、その現場で施された様々な治療を書き留めると共に、患者の反応を記録することが望ましい。このような情報は、訓練を受けた心臓専門医がこの情報をレビューすることで、ある疾患又は治療を施す前に場合によっては患者を苦しめてしまう欠如状態を排除する手助けする。
【０００７】
組み込み型プリンターの代わりに、幾つかのＡＥＤは、コンピュータのカードリーダーに挿入されなければならないデータカードにＥＣＧの履歴を記憶する。このコンピュータは次いで、パラレル又はＵＳＢケーブル、若しくは有線又は無線接続されるネットワークによって前記コンピュータに接続されるプリンターに前記データを送信する。何れの場合もコンピュータはＥＣＧの履歴をレビューするのに必要である。このやり方でＥＣＧの履歴を印刷することの１つの欠点は、ＡＥＤが設置される多くの場所、例えば消防署、飛行機等がコンピュータを簡単に利用できない場所であることである。
【０００８】
従って、紙ベースのＥＣＧレコーダ又はコンピュータのどちらか一方を必要とせずに、ＥＣＧデータが印刷されることができるＡＥＤを供給することが望ましい。本発明によれば、体外式除細動器において事変データをレビューするための方法及び装置が設けられる。この方法は、それが患者に取り付けられた、緊急時に使用する除細動器を設置することにより始める。患者からのＥＣＧデータがモニタリングされ、この除細動器に内蔵されるメモリ装置に置かれる画像ファイルに記録される。
【課題を解決するための手段】
【０００９】
本発明の１つの態様によれば、このメモリ装置はユーザにより取り外し可能であり、前記記録されたＥＣＧデータは、メモリ装置を除細動器から取り外し、このメモリ装置をプリンターに内蔵されるメモリリーダに挿入することにより印刷される。
【００１０】
本発明の他の態様によれば、記録するステップは、マイクから入力される音響データを記録するステップを含んでいる。
【００１１】
本発明の他の態様によれば、前記記録するステップは、除細動器動作情報を記録するステップを含んでいる。
【００１２】
本発明の他の態様によれば、前記体外式除細動器は全自動の体外式除細動器である。
【００１３】
本発明の他の態様によれば、前記体外式除細動器は半自動の体外式除細動器である。
【００１４】
本発明の他の態様によれば、前記ＥＣＧ画像ファイルは、前記除細動器からディスプレイ装置に送信される。
【００１５】
本発明の他の態様によれば、前記メモリ装置に置かれる前記画像ファイルに記録されるように、追加データが選択される。
【００１６】
本発明の他の態様によれば、前記追加データは音響データと患者治療データとから構成される集合から選択される。
【００１７】
本発明の他の態様によれば、前記メモリ装置は、コンパクトフラッシュ（登録商標）、ＡＴＡフラッシュメモリカード、メモリースティック（登録商標）、スマートメディア（登録商標）及びＳＤカード（登録商標）から構成される集合から選択される。
【００１８】
本発明の他の態様によれば、前記記録するステップは、生のＥＣＧデータを画像ファイル形式に変換するステップを含んでいる。
【００１９】
本発明の他の態様によれば、制御器、エネルギー源及び電気療法を患者に施すための少なくとも１つの電極を含む電気療法装置が提供されている。この装置は、前記制御器により前記エネルギー源から電極へ電気ショックを送出するように動作可能であるエネルギー送出システムも含んでいる。プロセッサは事変データを画像ファイル形式に変換し、この事変データを含んでいる画像ファイルが画像ファイル形式で記録されるメモリ装置が設けられる。
【発明を実施するための最良の形態】
【００２０】
以下に論じていることは、当業者が本発明を構成及び利用することを可能にすることが示されている。好ましい実施例に対する様々な改良が当業者には容易に思いつき、ここで規定される一般的な原則が添付される特許請求の範囲により規定されるように本発明の真意及び範囲から外れることなく、他の実施例及び応用に適用されてもよい。これにより、本発明は、示される実施例に制限されることを意図しているのではなく、ここに開示される原理及び特徴と一致した広い範囲を与えられる。
【００２１】
図１は、本発明の好ましい実施例による除細動器システム１０の概略的なブロック図である。この除細動器システム１０は、電圧又は電流パルスを供給するためのエネルギー源１２を有する。制御器２０はエネルギー送出システム１９を操作して、患者に電気療法を施すための電極インタフェース１４を介して患者１８に電気的に取り付けられる１対の電極１６にエネルギー源１２を接続及びこの電極からエネルギー源１２を切断するのを選択的に行う。除細動器システム１０は例えば手動の除細動器又はＡＥＤのような電気療法装置である。代わりに、除細動器システム１０は、手動又は自動／半自動の除細動器の使用時の動作をシミュレートする除細動器の訓練用機械でもよく、この場合、電極インタフェース及びエネルギー送出システムが省略されてもよい。
【００２２】
本発明によれば、メモリ２２は、データが画像ファイルに記憶されている取り外し可能なメモリカードである。このような画像ファイルは通例、デジタルカメラにより取り込まれたデータを記憶するのに用いられる。データは例えばＪＰＥＧ(Joint Photographic Experts Group)のような画像フォーマットで記憶される。最近では、プリンターに内蔵されたメモリカードリーダにデジタルカメラのメモリカードを受け付けるプリンターが利用可能になっている。このようにして、デジタルカメラにより取り込まれた画像は、データをカメラからコンピュータへ最初に転送する必要無く印刷されることができる。同様に、このような取り外し可能なメモリカードをＡＥＤに組み込み、ＥＣＧデータを画像ファイルに記憶することにより、ＥＣＧデータは、最初にコンピュータに転送されることなく印刷されることができる。
【００２３】
取り外し可能なメモリカード２２は、画像ファイルが記憶され、プリンターと合体した形式のメモリカードリーダと互換性がある如何なる適切なメモリ装置でもよい。上記メモリ装置の現在の実施例は、コンパクトフラッシュ（登録商標）、ＡＴＡフラッシュメモリカード、メモリースティック（登録商標）、スマートメディア（登録商標）及びＳＤカード（登録商標）を含んでいるが、それらに制限されない。これらは様々に異なる製造業者から商業的に利用可能である。
【００２４】
無論、ＥＣＧデータを画像ファイルに記憶するために、生のデータが画像ファイルに変換されなければならない。この変換は、例えばＪＰＥＧ処理モジュールのような適当なプロセッサにより行われる。このプロセッサは、ハードウェア、ソフトウェア、ファームウェア又はそれらを組み合わせたもので具体化されてよい。プロセッサは、制御器２０と統合されてもよいし、又は別個の構成要素でもよい。このようなプロセッサは当業者には十分知られてあり、従ってさらに詳しく説明する必要は無い。
【００２５】
動作中、取り外し可能なメモリカード２２は、患者をモニタリング及び治療している間、除細動器により集められるデータを記録する。特定の患者のモニタリング及び治療に関して入力されたデータは、“事変(incident)”と呼ばれる。事変は例えば、別個のイベント及び連続又は不連続のＥＣＧデータから構成される。重要な記録されたデータは、適当な状況下において事前に記録されたデータに追加されてもよい。例えば、患者を治療するために装置が配置されるとき、万が一（例えばバッテリーを取替えるために）装置がオフにされた場合、その装置をオンにした後に記録されたデータは、場合によっては事前に記憶されたデータに追加される。従って、記録された事変は、知覚的に連続する使用に関して記録された離散する不連続データを有する。代わりに、入力されたデータの一部だけ（例えば、ショックの決定の５秒前後のような適切なイベントの周りにあるデータウィンドウ）しか記録されない不連続データとなる場合もある。
【００２６】
本発明の幾つかの実施例において、前記事変は、事変レビュー出力部２３を介して、後続する介護人によりレビューされてもよい。この出力部は視覚的画像発生部２４と、音響的音声発生部２６とから構成される。視覚的画像発生部２４及び音響的音声発生部２６は、前述した米国特許公開番号2002/0156503に詳細に述べられている。視覚的画像発生部２４はとりわけ現在のＥＣＧ、ＥＣＧの履歴等を表示する。この視覚的画像発生部２４は例えば液晶ディスプレイ（ＬＣＤ）でもよい。視覚的画像発生部２４及び音響的音声発生部２６の起動は、メモリ２２から入力される情報に応じて、制御器２０により制御される。ユーザ入力部２８は、メモリ２２と対話して、事変のレビューを制御するために設けられてもよい。視覚的画像発生部２４、音響的音声発生部２６及びユーザ入力部２８は、前述した米国特許公開番号2002/0156503に詳細に述べられている。
【００２７】
本発明の他の実施例による半自動の体外式除細動器の主な構成要素が図２にブロック図で示されている。除細動器の制御機能は、マイクロプロセッサユニット（ＭＰＵ）１０２及び２つのカスタムゲートアレイ１０４及び１０６に分けられている。しかしながら、これらゲートアレイは必須ではなく、他の回路によってこれら機能が実行されることが可能であると理解すべきである。
【００２８】
ＭＰＵ１０２は、ＲＯＭ１１４から供給されるソフトウェア命令に従うプログラムステップを実行する。ＭＰＵ１０２は、あるボタン（例えばディスプレイのコントラストボタン１０８）及びあるシステムＬＤＥ１１０（例えばショックボタン及び電極コネクタに関連するＬＥＤ）の動作を制御する。ＭＰＵ１０２はブロック１１２で示されるようなシステム状態情報も入力する。ＭＰＵ１０２は、ソフトキーとして機能する一方、ディスプレイのコントラストボタン１０８の動作も制御する。
【００２９】
ゲートアレイ１０４は、システムＲＯＭ１１４、データカードポート１１６及び他のシステムメモリ要素に対しメモリマップを実施する。システムＲＯＭ１１４は好ましくはフラッシュＲＯＭであるが、ＥＰＲＯＭ又は他の電気的に消去可能であるプログラム可能な不揮発性メモリが用いられることもできる。図１に示される本発明の実施例のように、取り外し可能なメモリカード１１７が置かれることができるデータカードポート１１６が設けられる。この取り外し可能なメモリカードがプリンターのメモリカードリーダに挿入されるとき、ＥＣＧデータが直接印刷されることができるように、この取り外し可能なメモリカード１１７は、このＥＣＧデータを画像ファイルに記憶する。上述したように、上記取り外し可能なメモリカードの現在の実施例は、コンパクトフラッシュ（登録商標）、ＡＴＡフラッシュメモリカード、メモリースティック（登録商標）、スマートメディア（登録商標）及びＳＤカード（登録商標）を含んでいる。
【００３０】
前記取り外し可能なメモリカードへの書き込みを目的として、ゲートアレイ１０４は、除細動器１００とデータカードポート１１６に取り付けられたデータカード１１７との間におけるインタフェース及び制御を提供する。例えば、ゲートアレイ１０４は、ＭＰＵ１０２がＲＯＭ１１４によりアクセスされる速度と、データカード１１７のメモリ部がアクセスされる速度との差を補償するためにＦＩＦＯバッファを含んでいる。ゲートアレイ１０４は、生のＥＣＧデータを画像ファイルに変換するためのプロセッサとして利用してもよい。代わりに、如何なる他の適切な構成要素によりＥＣＧデータが画像ファイルに変換されてもよい。ゲートアレイ１０４は、ディスプレイ１１８、スピーカ１２０及びマイク１２２も制御する。ゲートアレイ１０４は、治療モード中にユーザによるショックボタン１２６の始動に応じて、ショック送出及びＥＣＧフロントエンドシステム１２４内のリレーを始動させることができる。
【００３１】
ゲートアレイ１０６は、クロック１０７から時間情報を入力する。ゲートアレイ１０６は、除細動器及びそれの構成要素の自動的な自己テスト(self-test)を行うことにより、システムモニタ機能も備える。ゲートアレイ１０６は、ステータスディスプレイ１２８に除細動器の稼動中の状態を表示する。ゲートアレイ１０６はユーザにより稼動されるオン／オフスイッチ１３０に対する除細動器のインタフェースでもある。
【００３２】
ゲートアレイ１０６は、バッテリー１３４からシステムの構成要素を動作させるための電力を供給し、治療モード中、治療用ショックのためのショック送出システムのコンデンサに電力を供給するように、電力管理サブシステム１３２を制御する。ゲートウェイ１０６はさらに、除細動器のＥＣＧフロントエンド１２４と機能的に連係し、治療を必要とする患者のＥＣＧパターンの検出（及びショックボタンの始動）に応じて、ショック送出システムがショックを送出することを可能にし、このショックの送出中に得られるショック送出状態情報に応じて、電極コネクタ１３６へのショックの送出を制御する。さらにこの最後の機能に関する情報は、Gliner他による米国特許番号US5,735,879、発明の名称“Electrotherapy Method for External Defibrillators”及びCameron他による米国特許番号US5,607,454、発明の名称“Electrotherapy Method and Apparatus”に見られ、これらの開示を参照することにより、ここに編入される。
【００３３】
従来知られるように、体外式除細動器１００は、異なるモード、例えば自己テストモード、スタンバイモード、並びに患者治療及びモニタリングモードで動作されることができる。さらに、セルフテストモード、スタンバイモード及び患者治療モードにおける体外式除細動器の動作の考察は、例えばPowers他による米国特許番号US5,800,460、発明の名称“Method for Performing Self-Test In Defibrillator”に設けられ、この明細書はここに編入される。
【００３４】
患者治療及びモニタリングモード中、除細動器は電極１３７を介して患者からＥＣＧ情報を入力する。この除細動器は、治療用ショックが推奨されているかを判断するために、ＥＣＧ情報を分析する。半自動の体外式除細動器では、ショックが推奨され、ユーザによりショックボタン１２６が稼動する場合、ショックがこれら電極を介して患者に送出される。全自動の体外式除細動器では、ユーザが介入することなく患者にショックが送出される。
【００３５】
イベントのこの情報及びシーケンスは、除細動器により、取り外し可能なメモリカード１１７に画像ファイルとして記憶される。患者のＥＣＧ情報及び除細動器の動作情報を記録することに加え、この除細動器は、他の情報（例えばマイクにより入力される周囲の音）も記録する。
【００３６】
本発明の好ましい実施例に従う患者治療モードにおいて体外式除細動器（例えば図２の除細動器）により集められた事変データは、除細動器の電源を入れる；除細動器のパッドのオン又はオフ；患者ＥＣＧ；アーチファクト検出；ショック推奨；ショック非推奨；チャージ開始；チャージ完了；装置装備；装置解除；ショック始動；ショック送出；ショック中止；ＣＰＲ休止；休止終了；手動移行(manual override)；手動チャージ；手動タイムアウト；装置オフ；バッテリー低下；バッテリー消耗；クリティカルエラー検出；非クリティカルエラー検出；音声（例えば声）、を含んでいる。除細動器は例えば除細動器のクロック及び／又はメモリ装置のクロックから時間情報も得て、その時間情報を事変データと共に記憶する。
【００３７】
他の実施例
ワイヤレス手段を介して画像データを直接入力し、中間にコンピュータを必要とせずにこれら画像を表示するプリンター及び他の装置、例えばＰＤＡ及び携帯電話が利用可能となっている。従って、本発明の幾つかの実施例において、画像データファイルは、赤外線又は無線（ＲＦ）通信のようなワイヤレス手段を介して上記ディスプレイ装置と直接通信されることができる。
【００３８】
図３は、本発明の他の実施例による除細動器システム１０’の概略的なブロック図である。除細動器システム１０’は、固定メモリ２２’が画像ファイルにデータを記憶している以外は、除細動器システム１０と同じように並べられ、同様に機能する。このような画像ファイルは、デジタルカメラにより取り込まれるデータを記憶するのに通常は用いられる。このデータは、例えばＪＰＥＧのような画像形式で記憶される。取り外し可能なメモリ装置の代わりに、画像ファイルがワイヤレス手段を介して外部の印刷又は表示装置に送信される。
【００３９】
図３に表される本発明の他の実施例による半自動の体外式除細動器１００’の主要な構成要素が図４においてブロック図形式で示されている。除細動器１００’は、ポート１１６’が画像ファイルを外部の印刷装置又は表示装置に送信する以外は、図２の除細動器１００と同じように並べられ、同様に機能する。ポート１１６’の送信手段は、赤外線のシリアル通信によるのが好ましいが、例えばBluetoothによるワイヤレス通信のような、無線送信も可能である。
【００４０】
除細動器１００’から表示装置へ画像ファイルを直接送信することにより、コンピュータは必要なくなる。このようにして、救助の場面における表示装置に画像ファイルを表示することが可能であり、これにより、現場のレスキューに重要なＥＣＧ情報を供給する。
【図面の簡単な説明】
【００４１】
【図１】本発明に従って構成される電気療法装置のある実施例のブロック図。
【図２】本発明に従って構成される電気療法装置の他の実施例のブロック図。
【図３】本発明に従って構成される電気療法装置の他の実施例のブロック図。
【図４】本発明に従って構成される電気療法装置の他の実施例のブロック図。
【図１】
2007505670.tif 000003
【図２】
2007505670.tif 000004
【図３】
2007505670.tif 000005
【図４】
2007505670.tif 000006
【国際調査報告】
2007505670.tif 000007
2007505670.tif 000008